【手続補正書】
【提出日】平成24年5月24日(2012.5.24)
【手続補正１】
【補正対象書類名】明細書
【補正対象項目名】００１８
【補正方法】変更
【補正の内容】
【００１８】
さらに、ＧＵＩに画像を表示するステップと、前記ＧＵＩを用いたユーザ操作に従って前記第１保護膜又は前記第２保護膜の種類を指定するステップと、前記第１保護膜及び前記第２保護膜の種類がいずれも保護膜を被覆しないと指定された場合には前記マッピングの要否を選択不可となるように、それ以外の場合には前記マッピングの要否を選択可能となるように、前記ＧＵＩに表示させる画像を変更するステップとをさらに備えることが好ましい。これにより、保護膜の被覆によるシャドー領域の色変化を適切に補正できる。
【手続補正２】
【補正対象書類名】明細書
【補正対象項目名】００２５
【補正方法】変更
【補正の内容】
【００２５】
本発明に係る色変換方法、色変換装置及びプログラムによれば、第１メディアに印刷して得られた第１印刷物と、前記第１メディアと同一の又は異なるメディアである第２メディアに印刷して得られた第２印刷物との光学物性値を取得し、前記第１印刷物に被覆させる第１保護膜（被覆させない場合を含む。）と、前記第１保護膜と同一の又は異なる保護膜であって前記第２印刷物に被覆させる保護膜である第２保護膜との光学物性値を取得し、前記第１印刷物に前記第１保護膜を被覆させて得られた第１保護膜付印刷物（第１保護膜を被覆させない場合は、第１印刷物）の観察光源である第１光源と、前記第１光源と同一の又は異なる観察光源であって前記第２印刷物に前記第２保護膜を被覆させて得られた第２保護膜付印刷物の観察光源である第２光源との分光分布を取得し、取得された前記第１印刷物及び前記第１保護膜の光学物性値（第１保護膜を被覆させる場合に限る。）並びに前記第１光源の分光分布に基づいて前記第１保護膜付印刷物に対応する第１プロファイルを生成し、取得された前記第２印刷物及び前記第２保護膜の光学物性値並びに前記第２光源の分光分布に基づいて前記第２保護膜付印刷物に対応する第２プロファイルを生成し、生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換するようにしたので、第１印刷物（第１保護膜付印刷物）を形成するために適切なカラー画像データをそのまま用いて、様々な印刷色再現条件下に応じた第２保護膜付印刷物の色再現を適切に行うことができる。これにより、印刷条件・観察環境の組合せを変更する都度に色の微調整を行う必要がなくなり、色調整作業に要する工数を大幅に低減することができる。
【手続補正３】
【補正対象書類名】特許請求の範囲
【補正対象項目名】全文
【補正方法】変更
【補正の内容】
【特許請求の範囲】
【請求項１】
第１メディアに印刷して得られた第１印刷物と、前記第１メディアと同一の又は異なるメディアである第２メディアに印刷して得られた第２印刷物との光学物性値を取得する第１取得ステップと、
前記第２印刷物に被覆させる保護膜である第２保護膜の光学物性値を取得する第２取得ステップと、
前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得ステップと、
取得された前記第１印刷物の光学物性値及び前記第１光源の分光分布に基づいて前記第１印刷物に対応する第１プロファイルを生成する第１生成ステップと、
取得された前記第２印刷物及び前記第２保護膜の光学物性値並びに前記第２光源の分光分布に基づいて前記第２保護膜付印刷物に対応する第２プロファイルを生成する第２生成ステップと、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する色変換ステップと
を備えることを特徴とする色変換方法。
【請求項２】
第１メディアに印刷して得られた第１印刷物と、前記第１メディアと同一の又は異なるメディアである第２メディアに印刷して得られた第２印刷物との光学物性値を取得する第１取得ステップと、
前記第１印刷物に被覆させる第１保護膜と、前記第１保護膜と同一の又は異なる保護膜であって前記第２印刷物に被覆させる保護膜である第２保護膜との光学物性値を取得する第２取得ステップと、
前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得ステップと、
取得された前記第１印刷物及び前記第１保護膜の光学物性値並びに前記第１光源の分光分布に基づいて前記第１保護膜付印刷物に対応する第１プロファイルを生成する第１生成ステップと、
取得された前記第２印刷物及び前記第２保護膜の光学物性値並びに前記第２光源の分光分布に基づいて前記第２保護膜付印刷物に対応する第２プロファイルを生成する第２生成ステップと、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する色変換ステップと
を備えることを特徴とする色変換方法。
【請求項３】
請求項２記載の色変換方法において、
前記第２保護膜にはいずれの保護膜も被覆させない状態が含まれ、
前記第２取得ステップでは、前記第１印刷物に被覆させる第１保護膜の光学物性値を取得し、
前記第３取得ステップでは、前記第１印刷物に前記第１保護膜を被覆させて得られた第１保護膜付印刷物の観察光源である第１光源と、前記第２印刷物の観察光源である第２光源との分光分布を取得し、
前記第２生成ステップでは、取得された前記第２印刷物の光学物性値及び前記第２光源の分光分布に基づいて前記第２印刷物に対応する第２プロファイルを生成する
ことを特徴とする色変換方法。
【請求項４】
請求項１〜３のいずれか１項に記載の色変換方法において、
前記第１取得ステップは、
メディアの種類を指定するステップと、
データベースの参照又は印刷物の測色により、指定された前記メディアの種類に対応する光学物性値を取得するステップと
をさらに備えることを特徴とする色変換方法。
【請求項５】
請求項１〜４のいずれか１項に記載の色変換方法において、
前記第２取得ステップは、
保護膜の種類を指定するステップと、
データベースの参照又は保護膜の測定により、指定された前記保護膜の種類に対応する光学物性値を取得するステップと
をさらに備えることを特徴とする色変換方法。
【請求項６】
請求項１〜４のいずれか１項に記載の色変換方法において、
前記第３取得ステップは、
光源の種類を指定するステップと、
データベースの参照又は光源の測定により、指定された前記光源の種類に対応する分光分布を取得するステップと
をさらに備えることを特徴とする色変換方法。
【請求項７】
請求項１〜６のいずれか１項に記載の色変換方法において、
前記色変換ステップは、前記第１プロファイルに係る黒点の色値と前記第２プロファイルに係る黒点の色値とを一致させるようにマッピングをするステップをさらに備える
ことを特徴とする色変換方法。
【請求項８】
請求項７記載の色変換方法において、
ＧＵＩに画像を表示するステップと、
前記ＧＵＩを用いたユーザ操作に従って前記第１保護膜又は前記第２保護膜の種類を指定するステップと、
前記第１保護膜及び前記第２保護膜の種類がいずれも保護膜を被覆しないと指定された場合には前記マッピングの要否を選択不可となるように、それ以外の場合には前記マッピングの要否を選択可能となるように、前記ＧＵＩに表示させる画像を変更するステップと
をさらに備えることを特徴とする色変換方法。
【請求項９】
請求項１〜８のいずれか１項に記載の色変換方法において、
メディアが反射メディアである場合は、印刷物の光学物性値は分光反射率であるとともに、保護膜の光学物性値は該保護膜の光波長毎の固有反射率、散乱係数及び吸収係数のうちの独立な２つの光学物性値である
ことを特徴とする色変換方法。
【請求項１０】
請求項１〜８のいずれか１項に記載の色変換方法において、
メディアが透過メディアである場合は、印刷物及び保護膜の光学物性値は分光透過率である
ことを特徴とする色変換方法。
【請求項１１】
第１メディアに印刷して得られた第１印刷物と、前記第１メディアと同一の又は異なるメディアである第２メディアに印刷して得られた第２印刷物との光学物性値を取得する第１取得部と、
前記第２印刷物に被覆させる保護膜である第２保護膜の光学物性値を取得する第２取得部と、
前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得部と、
前記第１取得部により取得された前記第１印刷物の光学物性値と、前記第３取得部により取得された前記第１光源の分光分布とに基づいて前記第１印刷物に対応する第１プロファイルを生成するとともに、前記第１取得部により取得された前記第２印刷物の光学物性値と、前記第２取得部により取得された前記第２保護膜の光学物性値と、前記第３取得部により取得された前記第２光源の分光分布とに基づいて前記第２保護膜付印刷物に対応する第２プロファイルを生成するプロファイル生成部と、
前記プロファイル生成部により生成された前記第１プロファイルを入力側プロファイルとして用い、前記プロファイル生成部により生成された前記第２プロファイルを出力側プロファイルとして用いて、前記第１印刷物の画像を表す画像データを前記第２印刷物の画像を表す画像データに色変換する色変換処理部と
を有することを特徴とする色変換装置。
【請求項１２】
第１メディアに印刷して得られた第１印刷物と、前記第１メディアと同一の又は異なるメディアである第２メディアに印刷して得られた第２印刷物との光学物性値を取得する第１取得部と、
前記第１印刷物に被覆させる第１保護膜と、前記第１保護膜と同一の又は異なる保護膜であって前記第２印刷物に被覆させる保護膜である第２保護膜との光学物性値を取得する第２取得部と、
前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する第３取得部と、
前記第１取得部により取得された前記第１印刷物の光学物性値と、前記第２取得部により取得された前記第１保護膜の光学物性値と、前記第３取得部により取得された前記第１光源の分光分布とに基づいて前記第１保護膜付印刷物に対応する第１プロファイルを生成するとともに、前記第１取得部により取得された前記第２印刷物の光学物性値と、前記第２取得部により取得された前記第２保護膜の光学物性値と、前記第３取得部により取得された前記第２光源の分光分布とに基づいて前記第２保護膜付印刷物に対応する第２プロファイルを生成するプロファイル生成部と、
前記プロファイル生成部により生成された前記第１プロファイルを入力側プロファイルとして用い、前記プロファイル生成部により生成された前記第２プロファイルを出力側プロファイルとして用いて、前記第１印刷物の画像を表す画像データを前記第２印刷物の画像を表す画像データに色変換する色変換処理部と
を有することを特徴とする色変換装置。
【請求項１３】
コンピュータに、
第１メディアに印刷して得られた第１印刷物と、前記第１メディアと同一の又は異なるメディアである第２メディアに印刷して得られた第２印刷物との光学物性値を取得する手段、
前記第２印刷物に被覆させる保護膜である第２保護膜の光学物性値を取得する手段、
前記第１印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する手段、
前記第１印刷物の光学物性値と、前記第１光源の分光分布とに基づいて前記第１印刷物に対応する第１プロファイルを生成する手段、
前記第２印刷物及び前記第２保護膜の光学物性値並びに前記第２光源の分光分布に基づいて前記第２保護膜付印刷物に対応する第２プロファイルを生成する手段、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する手段
として機能させることを特徴とするプログラム。
【請求項１４】
コンピュータに、
第１メディアに印刷して得られた第１印刷物と、前記第１メディアと同一の又は異なるメディアである第２メディアに印刷して得られた第２印刷物との光学物性値を取得する手段、
前記第１印刷物に被覆させる第１保護膜と、前記第１保護膜と同一の又は異なる保護膜であって前記第２印刷物に被覆させる保護膜である第２保護膜との光学物性値を取得する手段、
前記第１印刷物に前記第１保護膜を被覆させて得られた第１保護膜付印刷物の観察光源である第１光源と、前記第１光源と同一の又は異なる観察光源であって前記第２印刷物に前記第２保護膜を被覆させて得られた第２保護膜付印刷物の観察光源である第２光源との分光分布を取得する手段、
取得された前記第１印刷物及び前記第１保護膜の光学物性値並びに前記第１光源の分光分布に基づいて前記第１保護膜付印刷物に対応する第１プロファイルを生成する手段、
取得された前記第２印刷物及び前記第２保護膜の光学物性値並びに前記第２光源の分光分布に基づいて前記第２保護膜付印刷物に対応する第２プロファイルを生成する手段、
生成された前記第１プロファイルを入力側プロファイルとして用い、生成された前記第２プロファイルを出力側プロファイルとして用いて、前記第１印刷物の画像を表す画像データを前記第２印刷物の画像を表す画像データに色変換する手段
として機能させることを特徴とするプログラム。